(57)【要約】      （修正有）【課題】構造が簡単でロフト角の選択の自由度が高く、かつ安定性の高いパターゴルフクラブヘッドおよびパターゴルフクラブを提供する。【解決手段】第１のベース部１と、第２のベース部２と、第１のベース部１から第２のベース部２まで延びる打球部５とを備えている。第１のベース部１には、互いに異なる方向に延びる孔軸を有する第１の孔３ａおよび第２の孔３ｂを含み、シャフト８を着脱可能な複数のシャフト挿入孔が形成されている。打球部５は、第１の孔３ａにシャフトが挿入された時に打球面をなす第１のフェース面５ｂと、第２の孔３ｂにシャフトが挿入された時に打球面をなす第２のフェース面とを含み、第１のフェース面５ｂと第１の孔３ａの孔軸とのなす角度θ１と、第２のフェース面と第２の孔３ｂの孔軸とのなす角度θ２とが異なる。【選択図】図１
2014188356.tif 000002
【特許請求の範囲】
【請求項１】
複数の打球面を備えるパターゴルフクラブヘッドであって、
第１のベース部と、
第２のベース部と、
前記第１のベース部から前記第２のベース部まで延びる打球部とを備え、
前記第１のベース部には、互いに異なる方向に延びる孔軸を有する第１の孔および第２の孔を含み、シャフトを着脱可能な複数のシャフト挿入孔が形成されており、
前記打球部は、前記第１の孔にシャフトが挿入された時に打球面をなす第１のフェース面と、前記第２の孔にシャフトが挿入された時に打球面をなす第２のフェース面とを少なくとも含み、
前記第１のフェース面と前記第１の孔の孔軸とのなす角度と、前記第２のフェース面と前記第２の孔の孔軸とのなす角度とが異なる、パターゴルフクラブヘッド。
【請求項２】
前記第１の孔の孔軸と前記第２の孔の孔軸とは、前記第１のベース部の重心と前記第２のベース部の重心とを結ぶ中心軸上において交わっている、請求項１に記載のパターゴルフクラブヘッド。
【請求項３】
前記第１のベース部の重心と前記第２のベース部の重心とを結ぶ中心軸に垂直な方向における前記打球部の断面形状が多角形である、請求項１または２に記載のパターゴルフクラブヘッド。
【請求項４】
前記第１のベース部には、前記第１の孔、及び前記第２の孔とは異なる方向に延びる孔軸を有する第３の孔がさらに形成されており、
前記打球部は、前記第３の孔にシャフトが挿入された時に打球面をなす第３のフェース面をさらに備え、
前記第３のフェース面と前記第３の孔の孔軸とのなす角度は、前記第１のフェース面と前記第１の孔の孔軸とのなす角度と、前記第２のフェース面と前記第２の孔の孔軸とのなす角度とそれぞれ異なる、請求項１〜３のいずれか１項に記載のパターゴルフクラブヘッド。
【請求項５】
前記第１のベース部には、前記第１の孔、前記第２の孔、及び前記第３の孔とは異なる方向に延びる孔軸を有する第４の孔がさらに形成されており、
前記打球部は、前記第４の孔にシャフトが挿入された時に打球面をなす第４のフェース面をさらに備え、
前記第４のフェース面と前記第４の孔の孔軸とのなす角度は、前記第１のフェース面と前記第１の孔の孔軸とのなす角度と、前記第２のフェース面と前記第２の孔の孔軸とのなす角度と、前記第３のフェース面と前記第３の孔の孔軸とのなす角度とそれぞれ異なる、請求項４に記載のパターゴルフクラブヘッド。
【請求項６】
前記シャフト挿入孔を塞ぐキャップをさらに備え、
前記シャフト挿入孔に挿入された前記キャップの露出面は前記第１のベース部の外周面と同一面を構成するように形成されている、請求項１〜５のいずれか１項に記載のパターゴルフクラブヘッド。
【請求項７】
前記第２のベース部には、前記シャフトを着脱可能な他のシャフト挿入孔が形成されている、請求項１〜６のいずれか１項に記載のパターゴルフクラブヘッド。
【請求項８】
前記第１のベース部と前記第２のベース部とは、前記打球部が延びる方向から見たときの外形が円形である、請求項１〜７のいずれか１項に記載のパターゴルフクラブヘッド。
【請求項９】
前記第１のベース部と前記第２のベース部とは球形に形成されている、請求項１〜８のいずれか１項に記載のパターゴルフクラブヘッド。
【請求項１０】
請求項１〜９のいずれか１項に記載のパターゴルフクラブヘッドと、前記パターゴルフクラブヘッドの前記シャフト挿入孔に挿入されたシャフトとを備える、パターゴルフクラブ。
【発明の詳細な説明】
【技術分野】
【０００１】
本発明は、パターゴルフクラブヘッドおよびパターゴルフクラブに関し、特に、打球部が複数のフェース面を有するパターゴルフクラブヘッドおよびパターゴルフクラブに関する。
【背景技術】
【０００２】
従来、パターゴルフクラブヘッドには、さまざまな構造が採用されている。パターゴルフクラブヘッドの一般的な構造として、ゴルフボールを打つときにゴルフボールに直接インパクトを与えるフェース面が接地面に対して傾斜角（ロフト角）を有している。
【０００３】
また、同一のパターゴルフクラブを用いて、ゴルフボールに異なるインパクトやスピンを与えることができる、パターゴルフクラブが知られている。
【０００４】
特開平０７−１９４７４７号公報には、ロフト角と打球肉厚の少なくとも一方が異なる２つのフェース面が形成されたパターヘッドが開示されている。
【０００５】
また、特開２０１１−１５８００号公報には、ヘッドに取り付けられたフェース板ユニットが回転するパターヘッドが開示されている。
【先行技術文献】
【特許文献】
【０００６】
【特許文献１】特開平０７−１９４７４７号公報
【特許文献２】特開２０１１−１５８００号公報
【発明の概要】
【発明が解決しようとする課題】
【０００７】
しかしながら、特開平０７−１９４７４７号公報に開示されたパターヘッドでは、ロフト角の異なる２つのフェース面があるが、フェース面形状がひし形であり安定性が低い。
【０００８】
また、特開２０１１−１５８００号公報に開示されたパターヘッドでは、フェース板ユニットが回転可能に取り付けられており、構造が複雑である。
【０００９】
本発明は、上記のような課題を解決するためになされたものである。本発明の主たる目的は、構造が簡単でロフト角の選択の自由度が高く、かつ安定性の高いパターゴルフクラブヘッドおよびパターゴルフクラブを提供することにある。
【課題を解決するための手段】
【００１０】
本発明に従ったパターゴルフクラブヘッドは、第１のベース部と、第２のベース部と、前記第１のベース部から前記第２のベース部まで延びる打球部とを備える。前記第１のベース部には、前記第１のベース部には、互いに異なる方向に延びる孔軸を有する第１の孔および第２の孔を含み、シャフトを着脱可能な複数のシャフト挿入孔が形成されている。前記打球部は、前記第１の孔の前記孔軸に沿って延びる第１のフェース面と、前記第２の孔の前記孔軸に沿って延びる第２のフェース面とを含む。前記第１のフェース面と前記第１の孔の孔軸とのなす角度と、前記第２のフェース面と前記第２の孔の孔軸とのなす角度とが異なる。
【発明の効果】
【００１１】
本発明に従ったパターゴルフクラブヘッドおよびパターゴルフクラブは、構造が簡単であり、ロフト角の異なる複数のフェース面を自由に選択できる。また、本発明に従ったパターゴルフクラブヘッドおよびパターゴルフクラブは、安定性が高い。
【図面の簡単な説明】
【００１２】
【図１】実施の形態１に係るパターゴルフクラブヘッドの斜視図である。
【図２】図１中の線分ＩＩ−ＩＩから見た断面図である。
【図３】実施の形態２に係るパターゴルフクラブヘッドを説明するための断面図である。
【図４】キャップを挿入したパターゴルフクラブヘッドの拡大断面図である。
【図５】実施の形態１および実施の形態２に係るパターゴルフクラブヘッドの変形例を示す斜視図である。
【図６】実施の形態１および実施の形態２に係るパターゴルフクラブの側面図である。
【発明を実施するための形態】
【００１３】
以下、図面を参照して、本発明の実施の形態について、説明する。なお、以下の図面において、同一または相当する部分には同一の参照番号を付し、その説明は繰り返さない。
【００１４】
（実施の形態１）
はじめに、図１および図２を参照して、実施の形態１に係るパターゴルフクラブヘッドについて説明する。図１は、本実施の形態に係るパターゴルフクラブヘッドの斜視図である。図２は、図１中の線分ＩＩ−ＩＩから見た断面図である。なお、図２において、図１に示すキャップ６は図示していない。本実施の形態に係るパターゴルフクラブヘッドは、パターヘッドであって、第１のベース部１と、第２のベース部２と、第１のベース部１から第２のベース部２まで延びる打球部５とを備えている。
【００１５】
第１のベース部１および第２のベース部２は、同等の構造を有している。具体的には、第１のベース部１および第２のベース部２の形状はいずれも球状であって、同一の径を有している。第１のベース部１および第２のベース部２の直径は、２０ｍｍ以上６３．５ｍｍ以下とすればよく、たとえば、ゴルフボールと同等の大きさとすればよい。また、第１のベース部１および第２のベース部２を構成する材料は同一の材料であり、たとえば、アルミ合金やステンレス鋼である。第１のベース部１の重心と第２のベース部２の重心とは、それぞれを接地面に置いたときに、接地面からの距離（高さ）が同等となっている。
【００１６】
第１のベース部１および第２のベース部２には、シャフト８を挿入して抜き差しできるシャフト挿入孔が４箇所に形成されている。第１のベース部１においては、孔３ａ、孔３ｂ、孔３ｃ、および孔３ｄが、第２のベース部２においては、孔４ａ、孔４ｂ、孔４ｃ、および孔４ｄが設けられている。孔３ａ〜３ｄ，４ａ〜４ｄの各形状はシャフト８の形状に応じて、いずれも同一の形状に設けられていればよい。たとえば、いずれも直径が１３ｍｍ、深さ１０ｍｍの孔形状として形成されていてもよい。
【００１７】
孔３ａと孔４ａ、孔３ｂと孔４ｂ、孔３ｃと孔４ｃ、および孔３ｄと孔４ｄは、パターゴルフクラブヘッドを接地面上に置いたときに、第１のベース部１および第２のベース部２のそれぞれにおいて同一の位置に設けられている。また、孔３ａと孔４ａ、孔３ｂと孔４ｂ、孔３ｃと孔４ｃ、または孔３ｄと孔４ｄを最上部に位置するようにパターゴルフクラブを接地面上においたときに、第１のベース部１の外周側におけるシャフト挿入孔の端部（開口端部）の中心から接地面までの距離はいずれの場合も等しくなるように設けられている。たとえば、孔３ａ，４ａが最上部に位置するようにパターゴルフクラブを接地面上に置いたときに、孔３ａ，４ａの開口端部の中心から接地面までの距離（Ｌ１＋キャップ６が孔３ｃ，４ｃから突出している高さ）と、孔３ｂ，４ｂが最上部に位置するようにゴルフクラブヘッドを接地面上に置いたときに孔３ｂ，４ｂの開口端部の中心から接地面までの距離（Ｌ２＋キャップ６が孔３ｄ，４ｄから突出している高さ）と、孔３ｃ，４ｃが最上部に位置するようにパターゴルフクラブを接地面上に置いたときに孔３ｃ，４ｃの開口端部の中心から接地面までの距離と、孔３ｄ，４ｄが最上部に位置するようにパターゴルフクラブを接地面上に置いたときに孔３ｄ，４ｄの開口端部の中心から接地面までの距離とがそれぞれ等しい。
【００１８】
打球部５は、第１のベース部１と第２のベース部２とを接続するように設けられている。打球部５は、第１のベース部１から第２のベース部２まで延びる４つのフェース面５ａ，５ｂ，５ｃ，５ｄ（打球面）を有している。フェース面５ａとフェース面５ｂ、フェース面５ｂとフェース面５ｃ、フェース面５ｃとフェース面５ｄ、フェース面５ｄとフェース面５ａとは、いずれも直交している。つまり、第１のベース部１の重心と第２のベース部２の重心を結ぶ中心軸Ａ（以下、単に中心軸Ａとよぶ）に垂直な方向における打球部５の断面形状は、四角形（好ましくは正方形）となっている。打球部５の当該断面形状の中心は、上記中心軸Ａと重なるように設けられている。また、打球部５の当該断面形状は、上記中心軸Ａに垂直な方向における第１のベース部１および第２のベース部２の重心を通る断面形状の内側に収まるように設けられている。そのため、本実施の形態に係るパターゴルフクラブヘッドを接地面に接地させたときに、第１のベース部１および第２のベース部２は接地されるが、打球部５は接地されない。また、第１のベース部１および第２のベース部２は球状であるため接地面積が少ない。さらに、パターゴルフクラブヘッドの最外周部には角部が形成されていない。そのため、ダフった（打球時にパターゴルフクラブヘッドでゴルフボールの手前の芝や砂を噛んだ）ときにも接地面から受ける抵抗を低減することができる。
【００１９】
上述したパターゴルフクラブヘッドのシャフト挿入孔３ａ〜３ｄ、４ａ〜４ｄのいずれかにシャフト８を挿入することにより、本実施の形態に係るパターゴルフクラブを得ることができる。
【００２０】
シャフト８とパターゴルフクラブヘッドの固定方法としては、例えば、第１のベース部１、及び第２のベース部２の表面から、シャフト挿入孔３ａ〜３ｄ、及び４ａ〜４ｄに至るネジ孔を設け（図示せず）、各ネジ孔に六角穴付き止めネジを挿入することでシャフト８とパターゴルフクラブヘッドとを固定することができる。
【００２１】
このとき、孔３ａ，４ａにシャフト８を挿入したときの打球面はフェース面５ｂとする。孔３ｂ，４ｂにシャフト８を挿入したときの打球面はフェース面５ｃとする。孔３ｃ，４ｃにシャフト８を挿入したときの打球面はフェース面５ｄとする。孔３ｄ，４ｄにシャフト８を挿入したときの打球面はフェース面５ａとする。このとき、右打ちの使用者に対しては、第１のベース部１に設けられた孔３ａ，３ｂ，３ｃ，３ｄのいずれかにシャフト８を挿入すればよく、左打ちの使用者に対しては、第２のベース部２に設けられた孔４ａ，４ｂ，４ｃ，４ｄのいずれかにシャフト８を挿入すればよい。
【００２２】
孔３ａ，４ａは、それぞれ孔軸がフェース面５ｂに対して、フェース面５ｂ側に角度θ１だけ傾斜するように形成されている。孔３ｂ，４ｂは、それぞれ孔軸がフェース面５ｃに対して、フェース面５ｃ側に角度θ２だけ傾斜するように形成されている。孔３ｃ，４ｃは、それぞれ孔軸がフェース面５ｄに対して、フェース面５ｄ側に角度θ３だけ傾斜するように形成されている。孔３ｄ，４ｄは、それぞれ孔軸がフェース面５ａに対して、フェース面５ａ側に角度θ４だけ傾斜するように形成されている。角度θ１、θ２、θ３、θ４は、たとえば、θ１＜θ２＜θ３＜θ４という関係式を満足するように設けられており、たとえば、角度θ１は１°、角度θ２は２°、角度θ３は３°、角度θ４は４°としてもよい。なお、図２中に点線で示している十字は、フェース面５ａおよびフェース面５ｃに平行な線と、フェース面５ｂおよびフェース面５ｄに平行な線とを第１のベース部の中心において交差させたものである。
【００２３】
このようにすることで、シャフト８を挿入するシャフト挿入孔を選択することにより、シャフト８に対する打球面の傾き（ロフト角）を選択することができる。たとえば、打ち出し角を上げたいときには、シャフト８に対して傾きの大きい打球面を用いるために、右打ちの使用者であれば孔３ｄに、左打ちの使用者であれば孔４ｄにシャフト８を挿入して、フェース面５ａを打球面とすればよい。また、打ち出し角を上げたくないときには、シャフト８に対して傾きの小さい打球面を用いるために、右打ちの使用者であれば孔３ａに、左打ちの使用者であれば孔４ａにシャフト８を挿入して、フェース面５ｂを打球面とすればよい。つまり、シャフト８を挿入する孔３ａ〜孔３ｄのいずれかにシャフト８を挿入することにより、シャフト８に対する打球面の傾き（ロフト角）を選択することができる。そのため、ゴルフボールに対するスピンの加えやすさの異なるクラブを容易に得ることができる。
【００２４】
図４を参照して、シャフト８を挿入していない残りの７箇所のシャフト挿入孔には、それぞれキャップ６が挿入されている。図４はキャップが勘合された状態のシャフト挿入孔の拡大断面図である。各シャフト挿入孔（孔３ｂ，４ａ，４ｂ等）に挿入されるキャップ６はいずれも同一形状であるため、いずれのキャップ挿入孔にも付け替えが可能である。孔３ｂ，４ａ，４ｂ等に挿入されたキャップ６の露出面は第１のベース部１の外周面と連続的に繋がる同一面を構成するように形成されている。これにより、芝や土、砂等がシャフト挿入孔（孔３ｂ，４ａ，４ｂ等）に入ることを抑制することができるともに、パターゴルフクラブヘッドの接地時においてキャップを挿入しない場合よりも接地面から受ける抵抗の増大を抑制することができる。
【００２５】
以上のように、本実施の形態に係るパターゴルフクラブヘッドおよびパターゴルフクラブによれば、第１のベース部１および第２のベース部２の形状が球状であるため、接地面に対する接触面積を低減することができる。また、打球部５は、中心軸Ａに対して垂直な方向における断面形状が第１のベース部１および第２のベース部２の重心軸を通る断面形状内に収まっているため（打球部の当該断面サイズが第１のベース部１および第２のベース部２の最大断面サイズより小さいため）、ダフったときにも打球部５と接地面との干渉を低減することができ、パターゴルフクラブヘッドが接地面から受ける抵抗を低減することができる。さらに、フェース面とシャフト挿入孔の孔軸との成す角度が異なる４組のフェース面とシャフト挿入孔（孔３ａ、及び孔４ａとフェース面５ｂ、孔３ｂ、及び孔４ｂとフェース面５ｃ、孔３ｃ、及び孔３ｃとフェース面５ｄ、孔３ｄ、及び孔４ｄとフェース面５ａ）が、第１のベース部１と、第２の打球部２のそれぞれに形成されているため、右利きユーザー、及び左利きユーザーの双方にとって、４組の中から１組を選択して（シャフト挿入孔３ａ〜３ｄのうち一つにシャフト８を挿入して）パターゴルフクラブとすることにより、一つのパターゴルフクラブヘッドで４通りのロフト角を実現することができる。この結果、ゴルフボールに対して打ち出し角の異なるパターゴルフクラブを一つのパターゴルフクラブヘッドを用いて実現することができる。また、第１のベース部１と第２のベース部２とは同等の構造を有しており、第１のベース部１の重心と第２のベース部２の重心とは、それぞれを接地面に置いたときに接地面からの距離（高さ）が同等とであるため、本実施の形態に係るパターゴルフクラブヘッドおよびパターゴルフクラブは、高い安定性を有している。
【００２６】
さらに、孔３ａ，４ａの開口端部の中心から接地面までの距離（Ｌ１＋キャップ６が孔３ｃ，４ｃから突出している高さ）と、孔３ｂ，４ｂが最上部に位置するようにゴルフクラブヘッドを接地面上に置いたときに孔３ｂ，４ｂの開口端部の中心から接地面までの距離（Ｌ２＋キャップ６が孔３ｄ，４ｄから突出している高さ）と、孔３ｃ，４ｃが最上部に位置するようにパターゴルフクラブを接地面上に置いたときに孔３ｃ，４ｃの開口端部の中心から接地面までの距離と、孔３ｄ，４ｄが最上部に位置するようにパターゴルフクラブを接地面上に置いたときに孔３ｄ，４ｄの開口端部の中心から接地面までの距離とがそれぞれ等しい。このため、使用者が孔３ａにシャフト８を挿入してなるパターゴルフクラブを構えたときと、孔３ｂにシャフト８を挿入してなるパターゴルフクラブを構えたときとで、グリップの位置に対する打球面の位置を同等とすることができる。この結果、使用者がロフト角を変更するために異なる孔にシャフト８を挿入してパターゴルフクラブとしたときにも、同一の構え方から同一のスイングで打つことによって、ゴルフボールに異なる打ち出し角度を加えることができる。
【００２７】
なお、本実施の形態１においては、孔３ａと孔４ａ、孔３ｂと孔４ｂ、孔３ｃと孔４ｃ、及び孔３ｄと孔４ｄの孔軸の角度を互いに同じものとすることで、右利き打者、及び左利き打者のそれぞれにとって、ロフト角を４通りに調整可能なパターゴルフクラブヘッドとしているが、第１のベース部１に設ける孔３ａ、孔３ｂ、孔３ｃ、及び孔３ｄと、第２のベース部２に設ける孔４ａ、孔４ｂ、孔４ｃ、及び孔４ｄの孔軸の角度を全て異ならせることで、右利きの打者にとって、あるいは左利きの打者にとって８通りのロフト角を調整可能なパターゴルフクラブヘッドとすることができる。
【００２８】
（実施の形態２）
次に、図３を参照して、本発明の実施の形態２について説明する。本実施の形態に係るパターゴルフクラブヘッドおよびパターゴルフクラブは、基本的には実施の形態１に係るパターゴルフクラブヘッドおよびパターゴルフクラブと同様の構成を備えるが、打球部５の構成と、第１のベース部１および第２のベース部２に設けられた各シャフト挿入孔との構成が異なる。なお、図３中に点線で示している十字は、孔３ａ，４ａの孔軸および孔３ｃ，４ｃの孔軸に平行な線と、孔３ｂ，４ｂの孔軸および孔３ｄ，４ｄの孔軸に平行な線とを第１のベース部の中心において交差させたものである。
【００２９】
第１のベース部１において、孔３ａ〜孔３ｄの孔軸は、側面から見て第１のベース部１の中心（重心）と重なる位置を通っている。また、孔３ａ〜孔３ｄは、中心軸Ａに垂直な面内において第１のベース部１の外周円上に分散して配置されている。中心軸Ａに垂直な面内において隣り合う孔同士（孔３ａと孔３ｂ、孔３ｂと孔３ｃ、孔３ｃと孔３ｄ、孔３ｄと孔３ａ）は、該中心軸Ａ上に中心角９０°をなすように間隔を空けて設けられている。言い換えると、孔３ａと中心軸Ａを挟んで対向する位置に孔３ｃが、孔３ｂと中心軸Ａを挟んで対向する位置に孔３ｄが設けられている。孔３ａの孔軸と孔３ｃの孔軸とは同一直線状に並び、孔３ｂの孔軸と孔３ｄの孔軸とは同一直線状に並んでいる。
【００３０】
また、第２のベース部２においても、孔４ａ〜孔４ｄは、上記の第１のベース部１における孔３ａ〜孔３ｄと同様の構成として設けられている。また、孔３ａと孔４ａ、孔３ｂと孔４ｂ、孔３ｃと孔４ｃ、および孔３ｄと孔４ｄは、第１のベース部１と第２のベース部２とを接地面上に置いたときに、第１および第２のベース部１，２のそれぞれにおいて同一の位置に設けられている。
【００３１】
打球部５は、第１のベース部１から第２のベース部２まで延びる４つのフェース面を有している。フェース面５ａは孔３ａ，４ａ側に、フェース面５ｂは孔３ｂ，４ｂ側に、フェース面５ｃは孔３ｃ，４ｃ側に、フェース面５ｄは孔３ｄ，４ｄ側にそれぞれ設けられている。
【００３２】
フェース面５ａは、第１のベース部１の重心と第２のベース部２の重心を結ぶ中心軸Ａに垂直な面内において、孔３ｄ，４ｄの孔軸に対して角度θ５だけ傾斜するように形成されている。フェース面５ｂは、中心軸Ａに垂直な面内において、孔３ａ，４ａの孔軸に対して角度θ６だけ傾斜するように形成されている。フェース面５ｃは、中心軸Ａに垂直な面内において、孔３ｂ，４ｂの孔軸に対して角度θ７だけ傾斜するように形成されている。フェース面５ｄは、中心軸Ａに垂直な面内において、孔３ｃ，４ｃの孔軸に対して角度θ８だけ傾斜するように形成されている。角度θ５〜θ８はそれぞれ異なっている。
【００３３】
このようにしても、パターゴルフクラブヘッドには、フェース面とシャフト挿入孔の孔軸との成す角度が異なる４組のフェース面とシャフト挿入孔（（孔３ａとフェース面５ｂ、孔３ｂとフェース面５ｃ、孔３ｃとフェース面５ｄ、孔３ｄとフェース面５ａ）が形成されているため、実施の形態１と同様の効果を奏することができる。
【００３４】
実施の形態１および実施の形態２において、シャフト挿入孔およびフェース面はそれぞれ４つずつ形成されていたが、これに限られるものではない。シャフト挿入孔およびフェース面は、少なくとも２つ以上ずつ形成されていればよい。
【００３５】
たとえば、シャフト挿入孔とフェース面とがそれぞれ２つずつ形成されており、孔３ａにシャフト８が挿入されたときの打球面をフェース面５ｂ、孔３ｂにシャフト８が挿入されたときの打球面をフェース面５ａとしてもよい。この場合、孔３ａの孔軸とフェース面５ｂとのなす角度と孔３ｂの孔軸とフェース面５ａとのなす角度とが異なっていればよい。
【００３６】
また、シャフト挿入孔とフェース面とがそれぞれ３つずつ形成されており、孔３ａにシャフト８が挿入されたときの打球面をフェース面５ｂ、孔３ｂにシャフト８が挿入されたときの打球面をフェース面５ｃ、孔３ｃにシャフト８が挿入されたときの打球面をフェース面５ａとしてもよい。この場合、孔３ａの孔軸とフェース面５ｂとのなす角度と、孔３ｂの孔軸とフェース面５ｃとのなす角度と、孔３ｃの孔軸とフェース面５ａとのなす角度とがいずれも異なっていればよい。例えば、３つのシャフト挿入孔を第１のベース上に等間隔に配置し、第１のベース部１の重心と第２のベース部２の重心とを結ぶ中心軸Ａに垂直な方向における打球部５の断面形状を不等辺三角形にすることで、実施の形態１と同様の効果を奏することができる。さらに、第１のベース部１の重心と第２のベース部２の重心とを結ぶ中心軸Ａに垂直な方向における打球部５の断面形状を三角形とし、３つのシャフト挿入孔を第１のベース上に不等間隔に配置してもよい。このようにすれば、実施の形態２と同様の効果を奏することができる。
【００３７】
また、シャフト挿入孔とフェース面とがそれぞれ５つ以上ずつ形成されていてもよい。この場合には、第１のベース部１の重心と第２のベース部２の重心とを結ぶ中心軸Ａに垂直な方向における打球部５の断面形状を、シャフト挿入孔とフェース面の数に応じて五角形や六角形としてもよい。
【００３８】
さらには、第１のベース部１と第２のベース部２に設ける各シャフト挿入孔と各フェース面のなす角度が全て異なるよう、シャフト孔の配置間隔、あるいは打球部５の断面形状を設定することで、右利き打者専用の、あるいは左利き打者専用の、ロフト角の可変パターンを増加させたパターゴルフクラブヘッドとすることができる。
【００３９】
実施の形態１および実施の形態２において、第１のベース部１および第２のベース部２の形状は、球状に設けられているが、これに限られるものではない。図５を参照して、たとえば、第１のベース部１および第２のベース部２の形状は、パターゴルフクラブヘッドにおいて内側（打球部５側）に位置する領域が外側に位置する領域よりも中心軸Ａに垂直な面内における幅が大きく設けられている、いわゆる砲弾型であってもよい。
【００４０】
第１のベース部１および第２のベース部２が打球部５を中心として対称に設けられていても良い。また、中心軸Ａが延びる方向から見たときの外形がほぼ同じに設けられていてもよい。このようにしても、実施の形態１と同様の効果を奏することができる。
【００４１】
図６を参照して、実施の形態１および実施の形態２に係るパターゴルフクラブヘッドのシャフト挿入孔にシャフト８を挿入することにより、パターゴルフクラブとすることができる。図６の例では、第１のベース部１に設けられた孔３ａにシャフト８が挿入されて構成されたパターゴルフクラブを示しているが、他の孔３ｂ〜３ｄ、４ａ〜４ｄにシャフト８を挿入することによってもパターゴルフクラブを形成することができる。
【００４２】
ここで、上述した実施の形態と一部重複する部分もあるが、本発明の特徴的な構成を列挙する。
【００４３】
本発明に従ったパターゴルフクラブヘッドは、複数の打球面を備えるパターゴルフクラブヘッドであって、第１のベース部１と、第２のベース部２と、第１のベース部１から第２のベース部２まで延びる打球部５とを備えている。第１のベース部１には、互いに異なる方向に延びる孔軸を有する第１の孔（たとえば孔３ａ）および第２の孔（たとえば孔３ｂ）を含み、シャフト８を着脱可能な複数のシャフト挿入孔が形成されている。打球部５は、第１の孔（たとえば孔３ａ）にシャフトが挿入された時に打球面をなす第１のフェース面（たとえばフェース面５ｂ）と、第２の孔（たとえば孔３ｂ）にシャフトが挿入された時に打球面をなす第２のフェース面（たとえばフェース面５ｃ）とを含み、第１のフェース面（たとえばフェース面５ｂ）と第１の孔（たとえば孔３ａ）の孔軸とのなす角度（たとえば角度θ１）と、第２のフェース面（たとえばフェース面５ｃ）と第２の孔（たとえば孔３ｂ）の孔軸とのなす角度（たとえば角度θ２）とが異なる。
【００４４】
これにより、パターゴルフクラブヘッドには、フェース面とシャフト挿入孔の孔軸との成す角度が異なる少なくとも２組のフェース面とシャフト挿入孔（孔３ａとフェース面５ｂ、孔３ｂとフェース面５ｃ）が形成されているため、この中から１組を選択して（孔３ａ、３ｂのうち一つにシャフト８を挿入して）パターゴルフクラブとすることにより、一つのパターゴルフクラブで複数通りのロフト角を実現することができる。さらに、本発明に従ったパターゴルフクラブヘッドは、第１のベース部１に形成された複数のシャフト挿入孔に対しシャフト８を着脱するだけでロフト角を変更可能に構成されているため、構造が簡単である。また、本発明に従ったパターゴルフクラブヘッドは、第１のベース部１と第２のベース部２との間に打球部５を備えているため、安定性が高い。
【００４５】
第１の孔の孔軸と第２の孔の孔軸とは、第１のベース部１の重心と第２のベース部２の重心とを結ぶ中心軸Ａ上において交わっていてもよい。
【００４６】
このようにすれば、複数のフェース面を有する打球部５に対して、各フェース面に対して孔軸が傾斜するように複数のシャフト挿入孔を形成することで、第１のフェース面（たとえば５ｂ）と第１の孔（たとえば３ａ）の孔軸とのなす角度と、第２のフェース面（たとえば５ｃ）と第２の孔（たとえば３ｂ）の孔軸とのなす角度とが異なるクラブヘッドとすることができる。このとき、いずれの孔にシャフトを挿入しても、シャフトの軸が中心軸Ａと交差するので、パターゴルフクラブのバランスが変わらず、さらには、パターゴルフクラブを構えたときの視覚的なイメージが変わらないので、シャフト挿入孔を変更しても違和感なくスイングすることができる。また、この場合、複数のシャフト挿入孔は、第１および第２のベース部１，２の外周面上において、等間隔に形成すればよい。そのため、各シャフト挿入孔を容易に形成することができる。
【００４７】
第１のベース部１の重心と第２のベース部２の重心とを結ぶ中心軸Ａに垂直な方向における打球部５の断面形状が多角形であってもよい。
【００４８】
このようにしても、複数のフェース面を有する打球部５に対して、各フェース面に対して孔軸が傾斜するように複数のシャフト挿入孔を形成することで、第１のフェース面（たとえば５ｂ）と第１の孔（たとえば３ａ）の孔軸とのなす角度と、第２のフェース面（たとえば５ｃ）と第２の孔（たとえば３ｂ）の孔軸とのなす角度とが異なるクラブヘッドとすることができる。打球部５の断面形状が多角形であり、孔の開いていないクラブヘッド素材を準備しておき、打球部５に対する複数のシャフト挿入孔の位置がそれぞれ異なるように、複数のシャフト挿入孔を形成することで、容易に角度θ１〜θ４を変えることができる。
【００４９】
第１のベース部１には、前記第１の孔、及び前記第２の孔とは異なる方向に延びる孔軸を有する第３の孔がさらに形成されており、打球部５は、第３の孔（たとえば３ｃ）にシャフトが挿入された時に打球面をなす第３のフェース面（たとえば５ｄ）をさらに備えてもよい。このとき、第３のフェース面（たとえば５ｄ）と第３の孔（たとえば３ｃ）の孔軸とのなす角度は、第１のフェース面（たとえば５ｂ）と第１の孔（たとえば３ａ）の孔軸とのなす角度と、第２のフェース面（たとえば５ｃ）と第２の孔（たとえば３ｂ）の孔軸とのなす角度とそれぞれ異なってもよい。
【００５０】
これにより、パターゴルフクラブヘッドには、フェース面とシャフト挿入孔の孔軸との成す角度が異なる３組のフェース面とシャフト挿入孔（孔３ａとフェース面５ｂ、孔３ｂとフェース面５ｃ、孔３ｃとフェース面５ｄ）が形成されているため、この中から１組を選択して（孔３ａ、３ｂ、３ｃのうち一つにシャフト８を挿入して）パターゴルフクラブとすることにより、一つのパターゴルフクラブで３通りのロフト角を実現することができる。
【００５１】
第１のベース部１には、前記第１の孔、前記第２の孔、及び前記第３の孔とは異なる方向に延びる孔軸を有する第４の孔（たとえば孔３ｄ）がさらに形成されており、打球部５は、第４の孔（たとえば孔３ｄ）にシャフトが挿入された時に打球面をなす第４のフェース面（たとえばフェース面５ａ）をさらに備えてもよい。このとき、第４のフェース面（たとえばフェース面５ａ）と第４の孔（たとえば孔３ｄ）の孔軸とのなす角度は、第１のフェース面（たとえばフェース面５ｂ）と第１の孔（たとえば孔３ａ）の孔軸とのなす角度と、第２のフェース面（たとえばフェース面５ｃ）と第２の孔（たとえば孔３ｂ）の孔軸とのなす角度と、第３のフェース面（たとえばフェース面５ｄ）と第３の孔（たとえば孔３ｃ）の孔軸とのなす角度とそれぞれ異なってもよい。
【００５２】
これにより、パターゴルフクラブヘッドには、フェース面とシャフト挿入孔の孔軸との成す角度が異なる４組のフェース面とシャフト挿入孔（孔３ａとフェース面５ｂ、孔３ｂとフェース面５ｃ、孔３ｃとフェース面５ｄ、孔３ｄとフェース面５ａ）が形成されているため、この中から１組を選択して（孔３ａ、３ｂ、３ｃ、３ｄのうち一つにシャフト８を挿入して）パターゴルフクラブとすることにより、一つのパターゴルフクラブで４通りのロフト角を実現することができる。
【００５３】
上述したパターゴルフクラブヘッドは、シャフト挿入孔（孔３ａ，３ｂ等）を塞ぐキャップ（６ａ，６ｂ等）をさらに備え、シャフト挿入孔（孔３ａ，３ｂ等）に挿入されたキャップ（６ａ，６ｂ等）の露出面は第１のベース部１の外周面と同一面を構成するように形成されていてもよい。
【００５４】
これにより、シャフト８が挿入されていないシャフト挿入孔（孔３ａ，３ｂ等）をキャップ（たとえば、６ａ，６ｂ等）で塞ぐことができる。そのため、芝や土、砂等がシャフト挿入孔（孔３ａ，３ｂ等）に入ることを抑制することができる。
【００５５】
シャフト挿入孔は、第２のベース部２にも形成されていてもよい。
この場合、たとえば右打ちの使用者は第１のベース部１に設けられたシャフト挿入孔（孔３ａ，３ｂ等）のうちから選択される１つの孔にシャフト８を挿入し、左打ちの使用者は第２のベース部２に設けられたシャフト挿入孔（孔４ａ，４ｂ等）のうちから選択される１つの孔にシャフト８を挿入することにより、一つのパターゴルフクラブヘッドとして右打ちの使用者に対しても左打ちの使用者に対しても同等の効果を奏することができる。
【００５６】
第１のベース部１と第２のベース部２とは、フェース面５ａ，５ｂ等が延びる方向から見たときの（中心軸Ａに沿った方向から見たときの）外形が円形であってもよい。すなわち、第１のベース部１と第２のベース部２とは短円柱形状とすることができる。
【００５７】
これにより、いずれのシャフト挿入孔を選択した場合であっても、打球時において、パターゴルフクラブヘッドのスイング軌道方向に沿って第１のベース部１および第２のベース部２の底面を湾曲させることができるので、接地時に接地面から受ける抵抗を低減することができる。その結果、ダフッたときにも、パターゴルフクラブヘッドが接地面から受ける抵抗を低減することができる。
【００５８】
第１のベース部１と第２のベース部２とは球形に形成されていてもよい。
これにより、打球時において、パターゴルフクラブヘッドの動作方向と第１のベース部１および第２のベース部２は周方向とが沿っているため、接地時に接地面から受ける抵抗を低減することができる。さらに、第１のベース部１と第２のベース部２とが接地したときの接地面積をより低減することができるため、ダフッたときにも、パターゴルフクラブヘッドが接地面から受ける抵抗をより低減することができる。
【００５９】
本発明に従ったパターゴルフクラブは、上述したパターゴルフクラブヘッドと、該パターゴルフクラブヘッドのシャフト挿入孔３ａ，３ｂ，４ａ，４ｂ等）に挿入されたシャフト８とを備える。これにより、パターゴルフクラブヘッドに形成された複数のシャフト挿入孔のいずれかにシャフト８を挿入することにより、所望のロフト角を有し、かつ状況に応じてロフト角を変更することができるパターゴルフクラブとすることができる。
【００６０】
以上のように本発明の実施の形態について説明を行なったが、上述の実施の形態を様々に変形することも可能である。また、本発明の範囲は上述の実施の形態に限定されるものではない。本発明の範囲は、特許請求の範囲によって示され、特許請求の範囲と均等の意味および範囲内でのすべての変更を含むことが意図される。
【符号の説明】
【００６１】
１  第１のベース部、２  第２のベース部、３ａ，３ｂ，３ｃ，３ｄ，４ａ，４ｂ，４ｃ，４ｄ  孔、５  打球部、５ａ，５ｂ，５ｃ，５ｄ  フェース面、６  キャップ、８  シャフト。
【図１】
2014188356.tif 000003
【図２】
2014188356.tif 000004
【図３】
2014188356.tif 000005
【図４】
2014188356.tif 000006
【図５】
2014188356.tif 000007
【図６】
2014188356.tif 000008